(57)【要約】生物薬剤溶液を含む容器、少なくとも一部の凍結した生物薬剤溶液を用意し、該生物薬剤溶液と結合した振動ドライバーを用意し、該生物薬剤溶液に熱流を提供し、振動ドライバーの振動運動によって該生物薬剤溶液の振動運動を引き起こして、凍結した生物薬剤溶液のその一部の解凍を、運動しない解凍と比較して加速することを含む凍結した生物薬剤溶液を解凍する方法を開示する。また、凍結した生物薬剤溶液を解凍する装置を開示する。
2004537327.tif 000002
【特許請求の範囲】
【請求項１】
凍結した生物薬剤溶液を解凍する方法であって、
生物薬剤溶液を含む容器を用意し、ここで生物薬剤溶液の少なくとも一部は凍結し、
該生物薬剤溶液と連結した振動ドライバーを用意し、
該生物薬剤溶液に熱流を供給し、
振動ドライバーの振動運動によって該生物薬剤溶液の振動運動を引き起こして、
凍結した一部の生物薬剤溶液の解凍を、運動しない解凍と比較して、加速することを含む前記解凍方法。
【請求項２】
振動ドライバーの振動運動が調和運動である請求の範囲第１項に記載の方法。
【請求項３】
振動ドライバーの振動運動が不調和運動である請求の範囲第１項に記載の方法。
【請求項４】
振動ドライバーの振動運動の振幅が約０．０００２ｍｍから約１０，０００ｍｍの範囲である請求の範囲第１項に記載の方法。
【請求項５】
振動ドライバーの振動運動の振幅がより好ましくは約０．０１５ｍｍから約３５０ｍｍの範囲である請求の範囲第２項に記載の方法。
【請求項６】
振動ドライバーの振動運動の振動数が約０．０１Ｈｚから約２０ＧＨｚの範囲である請求の範囲第１項に記載の方法。
【請求項７】
振動ドライバーの振動運動の振動数が約０．１Ｈｚから約１ｋＨｚの範囲である請求の範囲第４項に記載の方法。
【請求項８】
振動ドライバーの振動運動の振動数が約０．４Ｈｚから約４０Ｈｚの範囲である請求の範囲第５項に記載の方法。
【請求項９】
容器の振動運動を引き起こすことによって、振動ドライバーの振動運動が引き起こされる請求の範囲第１項に記載の方法。
【請求項１０】
凍結した一部の生物薬剤溶液の振動運動を引き起こすことによって、振動ドライバーの振動運動が引き起こされる請求の範囲第１項に記載の方法。
【請求項１１】
凍結していない部分の生物薬剤溶液の振動運動を引き起こすことによって、振動ドライバーの振動運動が引き起こされる請求の範囲第１項に記載の方法。
【請求項１２】
生物薬剤溶液の加速された解凍装置であって、
生物薬剤溶液を含むために形成される容器と、ここで生物薬剤溶液の少なくとも一部が凍結し、
該容器と連結し、該容器に熱流を供給する発熱体と、
該生物薬剤溶液の振動運動を引き起こすことが、凍結した一部の生物薬剤溶液の解凍を、運動しない解凍と比較して、加速するために該生物薬剤溶液と連結され得る振動ドライバーを含む前記加速装置。
【請求項１３】
容器が熱ジャケットを含む請求の範囲第１２項に記載の装置。
【請求項１４】
容器がアジテーターを含む請求の範囲第１２項に記載の装置。
【請求項１５】
振動ドライバーを容器と機械的に連結する請求の範囲第１２項に記載の装置。
【請求項１６】
振動ドライバーを容器と磁気的に連結する請求の範囲第１２項に記載の装置。
【請求項１７】
振動ドライバーを内部構造体と連結し、該内部構造体が容器内部に配置される請求の範囲第１２項に記載の装置。
【発明の詳細な説明】
【０００１】
発明の背景：
発明の分野：
本発明は生物薬剤溶液の解凍に関し、より詳細には、本発明は振動運動を使用する生物薬剤溶液の促進された解凍に関する。
関連技術の説明：
特に生物薬剤溶液の形態における、生体物質の凍結及び解凍は、生産作業の際の中間処理工程として、又は保存のために有用である。今まで、少ない個々の量の物質、又は溶液しか首尾よく処理されなかった。これらの量は、バイアル、ストロー、試験管、ボトル、バッグ、ポーチ、トレー等に含まれるかもしれない。しかし、物質の取り扱いコスト、小さな容器の取り違えの可能性、及びこのような少量を処理し、取り扱う際の汚染の危険は、凍結及び解凍処理が嫌われる単位操作であることを意味した。より大きい個々の量を処理することは取り扱い又は汚染の問題を低減又は排除するであろう、しかしこのような処理は非常に限定された成功に遭遇した。
【０００２】
最終生成物の品質への重要な貢献工程は解凍工程である。しかし、通常の方法において、解凍時間はあまりに長い。実際、凍結の際の層状化（ｌａｙｅｒｉｎｇ）及び低温濃縮（ｃｒｙｏｃｏｎｃｅｎｔｒａｔｉｏｎ）効果と結合される長い解凍時間は、重要な生成物の分解をもたらす。少ない個々の量で、解凍工程は比較的急速に制御された方法で行われ得るが、大きい個々の量の解凍は長い解凍時間と生成物の分解によって悩まされた。
従って、必要とされるものは生物薬剤物質、特に生物薬剤溶液を、大きい量で、非常に優れた品質の最終生成物を得る解凍方法である。
【０００３】
発明の概要：
１つの局面において、本発明は、生物薬剤溶液の少なくとも一部が凍結した生物薬剤溶液を含む容器を用意し、該生物薬剤溶液と連結される振動ドライバーを用意し、該生物薬剤溶液に熱流を供給し、振動ドライバーの振動運動によって該生物薬剤溶液の振動運動を引き起こして、凍結した生物薬剤溶液の一部の解凍を、運動しない解凍と比較して、加速することを含む凍結した生物薬剤溶液を解凍する方法に関する。
別の局面において、本発明は、そこに生物薬剤溶液の少なくとも一部が凍結し、生物薬剤溶液を含むために配置された容器と、該容器と連結し、該容器に熱流を供給する発熱体と、該生物薬剤溶液の振動運動を引き起こすことが凍結した生物薬剤溶液の一部の解凍を、運動しない解凍と比較して、加速するために、該生物薬剤溶液と連結され得る振動ドライバーとを含む生物薬剤溶液の加速された解凍装置に関する。
【０００４】
発明の詳細な説明：
本発明者らは、生物薬剤溶液、少なくとも凍結したその一部の振動運動を引き起こすことが運動しない解凍と比較して生物薬剤の解凍を加速することを予想に反して発見した。
容器（好ましくは生物薬剤溶液を含み、凍結し、及び／又は解凍するために配置される容器）内の熱伝達表面に対する生物薬剤溶液を含む、部分的に解凍した固体−液体混合物の運動の発生によって、解凍速度は加速されるかもしれない。液体が熱伝達表面に対して運動し、液体中の固体が液体及び熱伝達表面に対して運動することによって、この運動は発生させられるかもしれない。液体及び固体の運動のパターンは類似であってもよく、類似でなくてもよい（容器の中の浮遊固体の大部分の動力学（ｍａｓｓ ｄｙｎａｍｉｃｓ）は液体の大部分の動力学と同様であってもよく、同様でなくてもよい）。容器及びその内部構造体に対する液体及び固体の動態的変動は、液相を乱し（ｔｕｒｂｕｌｉｚｅ）、熱伝達表面及び融解する固体表面で、境界層に影響を与え、液体を混合するかもしれない（液相の均一性のために重要）。結果として、熱せられた表面と生物薬剤溶液の液体及び固体相との間の熱伝達は明らかに高められる。高められた熱伝達速度は非常に急激な解凍をもたらす。急激な解凍は、通常の遅い解凍処理で生じる生成物の分解を低減し、又は排除する。
【０００５】
本発明の実施において有用な構造体は、Ｌ． Ｑｕａｎら， Ｅｆｆｅｃｔｓ ｏｆ Ｖｉｂｒａｔｉｏｎ ｏｎ Ｉｃｅ Ｃｏｎｔａｃｔ Ｍｅｌｔｉｎｇ Ｗｉｔｈｉｎ Ｒｅｃｔａｎｇｕｌａｒ Ｅｎｃｌｏｓｕｒｅｓ， Ｔｒａｎｓａｃｔｉｏｎｓ ｏｆ ｔｈｅ ＡＳＭＥ １２０：５１８−５２０ （Ｍａｙ １９９８）に記載のものである。しかし、本発明者らは、Ｑｕａｎの文献が凍結した生物薬物溶液の解凍における振動の使用を開示せず、生物薬剤溶液等の複合水溶液とは異なって結晶化及び融解する純粋の氷のみ開示することを指摘する。このように、Ｑｕａｎの文献は本発明を教示もしないし、示唆もしない。
【０００６】
液相及び固相の運動は種々の方法によって発生させることができる。融解する固相及び液相の集中的な相対運動は興味の対象である。従って、これらの２つの相の力学は興味の対象である。これらの２つの相の集中的な相対運動は、アブレーションによって融解する追加の表面によって、解凍速度を更に増大する場合がある。例えば、興味のある生物薬剤溶液又は物質を含む容器内に存在する内部熱伝達表面の運動は、容器が静止していても、この集中的な相対運動を提供する場合がある。あるいは、これは容器及び内部熱伝達表面の相互運動によって、又は容器と連結した内部熱伝達表面を備えた容器の運動によって達成されてもよい。このような連結部分は剛体（永久的な固定）、又は弾性体（ばね、ねじり棒、ケーブル等によって）であってもよい。好ましい実施態様において、容器は運転され、移動し、一方、内部熱伝達構造体等の内部構造体はその固有振動数で振動できる。このように、容器の強制運動は、内部熱伝達表面動力学と容器内の生物薬剤溶液の液体及び固体の自由な相の動的及び湿り特性とを結合される。好ましい実施態様において、内部構造は固有振動数で振動して液相にマイクロ運動させる。このマイクロ運動は液体から固体生成物に伝達する。マクロ運動は容器に与えられて、容器の壁及び内部構造体に対して液相及び固相の相対運動及びそれらの相対運動を生じる。このような方法において、容器及び内部熱伝達表面は異なった運動をし（相対運動が引き起こされる）、液相及び固相は他のパターンで運動する。これは、液相中の高い混合及び乱流率、及び熱伝達表面及び融解する固体の固−液界面での非常に高い熱伝達係数を生じる。結果として、解凍速度は非常に高い。
【０００７】
車輪を有する容器１０２及び車輪を有する容器内で生物薬剤溶液の振動運動を引き起こすドライバー１０４及び１０６を示す図１に、本発明のシステムを示す。図２Ａは、ドライバー２０４によってピボット２０６の周りを回転するひれ付き熱交換器２０２を示す。図２Ｂは、容器２０８内に図２Ａのひれ付き熱交換器を示し、上述のピボット２０６及びドライバー２０４を備える。図３は液体生物薬剤部分２１０と接触した凍結した生物薬剤部分２０４を含む容器２０２を示し、凍結した生物薬剤部分２０４はロッド２０６によりドライバー２０８と連結している。ロッド２０６は凍結した生物薬剤部分２０４に埋め込まれる。凍結した生物薬剤部分２０４をドライバー２０８によって種々の方向に運動させて、振動運動を引き起こしてもよい。
【０００８】
他の実施態様を図４に示し、凍結した生物薬剤部分４０２は、ロッド４０４によって上下方向４０６又は回転方向４０８に運動させられる。図５において、凍結した生物薬剤部分５０２は、液体生物薬剤部分５０４と浮動的に接触し、ドライバー５０６によって運動させられる。ドライバー５０６は液体生物薬剤部分５０４を通して圧力波を送り、振動運動により凍結した生物薬剤部分５０２を運動させる。図６Ａにおいて、容器６０２は運動テーブル６０６と連結する。運動テーブル６０６は、図６Ｂに示されるように直線方向に、又は図６Ｃ−Ｄに示されるように二次元に、又は三次元においても運動できる。図７は、ばね７０４によって吊り下げられ、ドライバー７０６及び７０８によって運動させられる容器７０２を示す。
【０００９】
基本調和運動（例えば、正弦振幅／周波数パターン）は本発明の装置の運動を強制するために、又は本発明の方法を実施するために使用してもよい。また、その他のタイプの振動運動が、容器、その内部構造体、及びそれによって含まれている固相及び液相の動力学を完全に利用するために加えられてもよい。本発明の振動運動は不調和であってもよい。例えば、振動運動は非対称振幅／振動数曲線（例えば、容器と連結したドライバーの予めプログラムされた運動によって引き起こされる）の形状であってもよい。運動パターンは非対称正弦波、上端部／下端部を切り取った、又は横に切った（ｃｕｔ ｓｉｄｅｗａｙｓ）正弦波を引き起こしてもよい。矩形波又は三角波（対称又は非対称鋸歯状波形）運動パターンを加えてもよい。また、上記の組み合わせ及び変形も本発明で考慮される。これらのパターンは振幅及び振動数の変化を有してもよく、異なる振幅及び振動数を有する各波形の種々の組み合わせを使用してもよい。例えば、小さな正弦波を大きな正弦波に重ね合わせてもよい（同様に正弦波以外のその他の振動形状、例えば上述の形状を含む）。振幅及び振動数加速及び減速パターンに加えて、内部構造を有する容器ばかりでなく、液相及び固相の得られた動力学（加速及び減速）が考慮される。運動の周期性は容器及び液相及び固相の動力学の示された考察を選択してもよい。また、非周期的な振動運動を使用してもよい。例えば、階段状運動の間に種々の周期の運動しない部分を含む前後に移動する階段状運動を使用してもよい。また、軌道振動運動を本発明の実施において用いてもよい。
【００１０】
本発明の振動運動の実施例を図９Ａ−Ｄに示す。図９Ａにおいて、容器９０２は凸凹のトラックに添って運動し、隆起９０４は互いに同相である。図９Ｂは、立面図で凸凹のトラックを示し、隆起９０４は同相である。図９Ｃは凸凹のトラックに添って運動する容器９０６を示し、隆起９０８及び９１０は互いに位相がずれている。図９Ｄは立面図で凸凹のトラックを示し、隆起９０８及び９１０は位相がずれている。
【００１１】
小さな振幅、高い振動数の運動（“マイクロ運動”と呼ぶ）及び大きな振幅、低い振動数の運動（“マクロ運動”と呼ぶ）によって生ずる液体−固体混合物における現象は、非常に異なる場合がある。マイクロ運動の振動数は、好ましくは２００Ｈｚよりも大きくてもよく、好ましくは３．０ｍｍ未満であるマイクロ運動の振幅を有する。マクロ運動の振動数は、好ましくは２００Ｈｚ以下であってもよく、好ましくは３．０ｍｍ以上であるマクロ運動の振幅を有する。マイクロ運動の際、停止したままの凍結した固体の融解した表面に達する液相中に小さな振幅、高振動数波が存在するが、マクロ運動においては、固相と液相の間に重要な相対マクロ運動が存在する。
【００１２】
物理現象における相違は、解凍メカニズムにおいて差を生じる。例えば、マクロ運動の解凍はマイクロ運動の解凍に対して、改良された産物収量を生じる場合がある。マイクロ運動の解凍は、氷晶の周りの軟化するガラス状態に関して、凍結した産物固体中の氷晶の振動を引き起こすかもしれない。それ故、生物薬剤又は薬剤物質はそれらのガラス状態中に埋め込まれ、産物は機械的及び流体力学的せん断力の影響に曝される。これらのせん断力は、生物薬剤溶液の溶質及びその濃度の選択によって最小化され得る。低い振幅及び高い振動数は、氷晶を静止位置で振動させ、このため埋め込まれた産物を有する軟化したガラス状態上の氷晶の運動の影響を最小化する。次いで、波動は、このようなガラス状態の対応する緩衝効果によって軟化したガラス状態を通って移動する。氷晶は柔軟な、弾性のある又は粘性の物質中に浸漬される、ほとんど弾性体として振舞う。緩衝効果は固体物質中へ深く波を浸透させることを減少させるが、温度がより低い固体においてはより深く、ガラス状態は堅く、固体として波を移動できる。このように表面近くの波の減衰後、波は固体剛体を通って移動できる。このような微視的運動は固体産物表面で氷のマトリックスを乱し、産物を含む軟化したガラス状態から氷晶を急速に放出する場合がある。これは、解凍速度の明らかな増大を導くことができる。
【００１３】
これは、凍結した物質表面付近の氷晶の中に軟化したガラス状態のものは存在しないＱｕａｎの氷のみを解凍することと明らかに異なる方法である。純粋な氷において、結晶は氷の表面での液相の運動のために融解する。ここで、氷晶及び軟化したガラス状態（生物薬剤又はその中の生物薬剤物質を含む）の運動は、物質内部に深く伝わる（ガラス／アモルファス状態のガラス転移温度に依存し、例えば、スクロースが−３２Ｃのガラス転移温度を有し、凍結した産物の中心が約−４５Ｃであり、４５Ｃ／１００ｍｍである凍結した固体表面に向かう温度勾配を有する場合、このような軟化した物質（氷晶及びスクロースの軟化したガラス状態の混合物）の深さは、例えば多くの固形物質で約７１ｍｍである。氷晶間のこのような多割合の軟化した物質で、固形物質のブロックは、追加の運動（マクロ運動）が加えられた場合、急速に分解する場合がある。本方法はこの適用のために独特であり、氷晶のある種の機械的運動を導く表面で、氷晶に及ぼす直接波の影響はほぼ１つの結晶の直径程度の深さに達するかもしれない氷の解凍の場合と徹底的に異なる。
【００１４】
記載されたマクロ運動は、固体産物表面付近（産物中に少しも深くない）の軟化したガラス状態の重要な変形を含まず、従って生物薬剤製品（例えばタンパク質等）をよく保護し、そのため氷晶間の軟化したガラス状中に機械的又は流体力学的せん断力は存在しない。マクロ運動は解凍する固体表面付近で軟化したガラス状態の氷晶をゆるやかに転位でき、氷晶の放出及び融解及びガラス状態の溶解を生じ得る。従って、この方法は、多くの製品、使用される製剤（製剤溶液のタイプ）及び製剤溶液の濃縮に関してより多用途である。
マイクロ運動及びマクロ運動の組み合わせは、本発明の実施において使用してもよい。例えば、振動運動はカムを有する機械式駆動及び容器、その内部構造又はそのフレームと結合した振動器（電磁気的、空気式、油圧式等）を用いて重ね合わせた振動を有する連接アームを用いて作成してもよい。このような実施態様は図１０Ａ−Ｂに示される。図１０Ａは、振動を引き起こすドライバー１００４と組み合わせて、ドライバー１００４によって大きい振幅運動で駆動される容器１００２を示す。得られた波形を図１０Ｂに示す。振動運動は、容器内部の固相及び液相の割合の変化の考察を行うために連続的に調整できる。（固相の量は減少するが、液相の量は増加する）。
【００１５】
調和振動運動について、振幅及び振動数の範囲は運動しない解凍と比較して解凍を加速するために、充分に広くてもよい。好ましい実施態様において、振幅は約０．０００２ｍｍから約１０，０００ｍｍ、より好ましくは約０．０１５ｍｍから約３５０ｍｍの範囲であってもよく、振動数は、好ましくは約０．０１Ｈｚから約２０Ｈｚ、より好ましくは約０．０１Ｈｚから約１５５ｋＨｚ、更に好ましくは約０．１Ｈｚから約１ｋＨｚ、最も好ましくは約０．４Ｈｚから約４０Ｈｚである。また、これらの範囲は重ね合わせた調和運動を含んでもよい。このような重ね合わせた調和運動の例は、０．５Ｈｚの振動数及び３０ｍｍの振幅を有する振動運動と０．５ｍｍの振幅及び５０Ｈｚの振動数の重ね合わせる運動とを含む。
【００１６】
非常にしばしば、生物薬剤物質及び／又は溶液は敏感な生体高分子又は細胞産物を含んでいる。凍結−解凍サイクル後の生体高分子の反応性産物の回収レベルは解凍速度に依存する。一般に、非常に小さなサンプルの非常に素早い解凍は、よりゆっくりとした解凍よりも高い収率の産物を提供できる。速い解凍速度は、典型的には生存可能な生物学的高分子又は細胞の回収において、かなり重要である。多くの場合、生物産物は、解凍のために加えられる熱量が上限を有することを意味する、厳密な高温度曝露限界を有し、与えられたある種の安全限界を有する。例えば、熱伝達表面温度は産物のタイプに依存して８℃、１２℃、１８℃、２５℃又は３７℃に限定される（これらは例のみであり、その他の温度は０Ｃと例えば７０Ｃの間で使用できる）。時には、より低い温度が上限として要求される。大抵の解凍方法の際、大部分の液相温度が０℃付近に保つ必要があるため、熱伝達表面のこのような低い温度は解凍の際に熱流の限界が課される。固体の凍結した量が消失し、又は液体の量に対するその量が相対的にわずかになる場合には、液相温度は解凍の終了時点でこのレベル（例えば０℃）よりも高く上昇してもよい。解凍中に、大部分の液体が０℃付近の温度を有することは、解凍時間中の産物の品質の保護における重要な因子である（ある種の産物は０℃から４℃、又は８℃までの温度範囲内で液相中に貯蔵されるべきである）。解凍の際、温度は大部分の液体中で０℃付近であってもよいが、熱伝達表面付近の境界層において、液相の温度はその表面の温度に達しているであろう。運動しない解凍の際、液相においてある自然な対流が存在し、境界層において、ある種の限られた分子の交換を生じる（産物分子又は細胞滞留時間は高温で重要な場合がある）。しかし、このような自然な対流は液相を充分に撹拌できず、従って均質化は行われず、産物層別化／層状化は液体容積内で起こる場合がある（例えば、より高い産物濃縮が底で生じ得る）。生物の細胞又は細胞フラグメントの場合において（産物は懸濁液である）、懸濁粒子の沈殿が生じ得る。生物薬剤溶液、特に液相の振動運動を引き起こすことは、液体を均質化及び混合するだけでなく、境界層を乱し、産物分子（又は細胞）の対流時間及びこの層の高温曝露を明らかに減少させる。
【００１７】
熱は生物薬剤溶液に種々の方法で加えてもよい。熱流は容器に備えた熱ジャケットにより生物薬剤溶液と間接的に結合させてもよい。あるいは、熱流は浸漬加熱器又はその他の浸漬した熱伝達表面、例えば１９９７年７月１７日に出願された米国特許出願第０８／８９５，７８２号；第０８／８９５，７７７号、及び第０８／８９５，９３６号に開示されるものの使用によって生物薬剤溶液と直接結合させてもよい。熱流が制御され得る、実質的にすべての熱流源は、生物薬剤利用における使用に好適であり、本発明の実施において慣習的に使用してもよい。
【００１８】
また、熱伝達表面の最も低い許容温度は、上述の通りに熱伝達推進力、例えば解凍中の温度差熱伝達壁面−凍結した産物表面／バルク液体温度を制限する。解凍速度は熱伝達表面積の増加によってのみ増加するかもしれない。容器（ｃｏｎｔａｉｎｅｒ／ｖｅｓｓｅｌ）の設計は、１９９７年７月１７日に出願された米国特許出願第０８／８９５，７８２号、第０８／８９５，７７７号、及び第０８／８９５，９３６号に記載された通り、熱伝達表面のそのような大きな表面積を有する。これらの文献、及び本明細書で引用されるその他のすべての文献は、本明細書に完全に再現されるかのように、参照によって本明細書に組み込まれる。更に、熱伝達の増加及びそれにより得られる解凍速度の増加は、液相の乱流（ｔｕｒｂｕｌｉｚａｔｉｏｎ）によって達成されるかもしれない。これは、層流の性質から乱れたものへ、熱伝達表面の付近の熱伝達パターンを変えるかもしれない。熱伝達の原理から、同じ温度差で（生体産物の解凍について制限される）、熱伝達速度（熱流）が層流から乱流パターンに変わることによって明らかに増大され得ることが知られている。液相と熱伝達表面との間の熱流増加は、融解する固体から液相への熱流の増加を可能にする（容器はよく断熱され、このためエネルギーバランスを仮定することができる）。固体−液体を融解する熱流の増加は、より速い解凍速度、例えば固体−液体界面での凍結した産物の層のより速い除去を意味する。全体的な効果は解凍時間の明らかな短縮化である。内部構造による振動撹拌は容器内の液相の高速の乱流を生じる。液相の乱流は、固体表面で、軟質ガラス状態マトリックスから氷晶のより迅速な放出を生じるかもしれない。
【００１９】
ある特定の場合に、生物薬剤物質及び／又は溶液は、撹拌した場合、せん断感受性であり、及び／又は広範囲に泡立たせるかもしれない。次いで、振動運動を調整して、せん断速度、及び液体表面の波状運動を減少させる。また、容器のどんな内部も構造体の上に液体流を排除するために形成され、実際、構造体は、熱伝達を増大させるためだけでなく、せん断及び泡立を低減するために形成された区画内で、液相及び固相の運動を含むかもしれない。
【００２０】
本発明の生物薬剤溶液は任意の通常の生物薬剤又は薬剤物質を含む。好ましい実施態様において、生物薬剤溶液はタンパク質／酵素、ペプチド、ＤＮＡ、ＲＮＡ、アミノ酸、核酸、成長因子、凝固因子、抗体等の生体高分子；生物細胞又は細胞フラグメント／成分、包含細菌（ｉｎｃｌｕｄｉｎｇ ｂａｃｔｅｒｉａ）、菌類、イースト、単細胞生物、哺乳類（特にヒト）細胞、動物細胞、植物細胞、細胞小器官、細胞膜、又は組織断片等；ウイルス性物質；有機又は無機分子又は炭水化物を含むイオン、抗生物質；又は細胞増殖培地を含んでもよい。特異的な例としては、血液及び血液製剤（赤血球及び白血球、血漿、ヒトの血清アルブミン等）、及び生体物質又は薬剤物質を含む２相以上のエマルジョンが挙げられる。分離した領域は、小胞、リポソーム及び生体成分を含む同様の膜ベース実体（ｍｅｍｂｒａｎｅ−ｂａｓｅｄ ｅｎｔｉｔｉｅｓ）を含む。
【００２１】
また、本発明の振動運動は液相及び固相（融解する）の相対運動のための考察を含んでもよい。これは、液相の流体力学及び凍結した産物の浮遊断片の動力学／流体力学を含む。例えば、振動運動の主要な方向に向かって傾いたフィン（又はフィン／バッフル）の配置は、フィンに添った液体の層流を生じ、区画の延伸された形状は融解する固体の大きな側の表面積をこの液体の流れにさらす。延伸された区画の端部での稼動中の熱伝達表面の位置は、そこにより大きな初期空洞（そこに含まれるより多くの液体）の形成を生じてもよく、容器の運動はフィンに沿って空洞から空洞へ液体の流れを生じる。このような方法において、凍結した固体は高度の乱流液相によって囲まれ、解凍速度の増加を同時に生じる可能性を有する。
【００２２】
本発明の振動運動は、生物薬剤溶液と結合する多くの振動ドライバーを用いる、多くの方法で引き起こしてもよい。例えば、振動運動は、ギアボックスを備えた電気モーター及びアームを備えたカム（種々のプロフィール／運動特性を有してもよい）等により、機械的に引き起こしてもよい。あるいは、振動運動は電磁ソレノイド（押す／引く）、ばね押しドライバー（強制された一方向運動）、ばねによる戻り（ばね特性は線形又は非線型に変化してもよい）、油圧式駆動（モーター又はシリンダー）、気圧式駆動（モーター、アクチュエーター又はシリンダー）、又は磁気ドライバー（天然磁石又は電磁石を用いる結合／切断）による種々の方法で引き起こしてもよいが、これらに限定されない。振動ドライバーは、容器又は他の同様の構造体を通して生物薬剤溶液と間接的に結合してもよく、又は生物薬剤溶液と直接結合してもよく、又は直接的及び間接的結合の組み合わせを用いてもよい。
【００２３】
電磁式ドライバーの利点は、操作が自動化されるかもしれないということである：容器を回転し、それを磁気的に運動と結合し、処理し、切断及び取出し。また、電磁式ドライバーは安全性と一緒にされるかもしれない（センサーが違った側から近づいてくる何かを検出する場合、切断する等）。結合アームは、剛直又は柔軟であってもよく、又は内部ばね／弾性要素を含んでもよく、運動特性に影響を及ぼし、またシステムの動力学に影響を及ぼす。また、ケーブル運動を適用してもよい（あるいは両方向に引っ張るケーブル）。
【００２４】
ドライバー特性は、任意のローラー／車輪（例えば、中心からずれた軸）又は容器が前後に運動するレールを形成することによって更に変化してもよい。レールは横向きにわずかに曲げて、主運動に横方向の運動を加えてもよく、又は平行のアーチを垂直に曲げてもよく、あるいはアーチを配置して、主運動に縦又は／及び横の成分加えてもよい。容器とローリングフレームの間に配置するばね／弾性要素は（線形又は非線形）、運動特性を更に変えることができる。好ましい実施態様において、振動運動の移動ルートの各端部で激しい上下動（衝撃）を生じるために、端部運動弾性バンパーが設置される。
【００２５】
攪拌は、振動運動を受ける生物薬剤溶液の熱伝達特性を増大することによって解凍を更に促進するために与えてもよい。例えば、攪拌は運動する内部熱伝達表面によって与えてもよい。あるいは、それは固相を運動させるロッカーであってもよく、又は稼動中（加熱中）の熱伝達表面付近に配置された振動フレーム／格子（ｇｒｉｄ）／火格子（ｇｒａｔｅ）であってもよい。他の実施態様において、攪拌は、それらの中心付近の凍結したブロックに埋め込まれたロッドのアレーによって与えてもよい（最後に凝固し、最後に融解する部分）。次いで、それらのロッドのアレーは、それらを囲む液相内で、すべてでない場合、ほとんどの凍結した部分を一緒に運動する振動パターンで運動／移動してもよい（運動は充分な液相部分が形成されるまで開始できない）。他の実施態様において、攪拌は、液相の指向性の流れを生じる収束／発散穿孔処理によって穿孔処理したプレートの形態で与えてもよい。あるいは、穿孔処理したプレートの代わりに、“じょうご”を備えるフレームを使用してもよく、振動フレーム運動はじょうごを通して指向性の液体流れを生じるであろう。また、端部にパドルを備えるシャフトアジテーターを使用できるが、回転であることの代わりのシャフト運動は振動であるのが好ましい。パドル及びシャフトの一部を凍結した固形物質に埋め込んでもよく、液相を通してそれを運動させてもよい。液体中の固相を運動させるアジテーターは、液体−固体産物の相互運動を引き起こすだけでなく、運動する固体の周りの液体を乱し、従って、液体と熱伝達表面の間の熱伝達を増大し、こうして解凍の加速を生じる。
【００２６】
容器内にある内部構造体は熱伝達の増強の仕事を兼ね備え、振動運動の際の振動／混合を強化する。例えば、すべて１９９７年７月１７日に出願された米国特許出願第０８／８９５，７８２号、第０８／８９５，７７７号、及び第０８／８９５，９３６号に記載される、凍結の際に形成される熱ブリッジの原理に基づいて作用するフィンを備えた内部熱交換器は静止した状態で作用し、容器内の液相の波状の運動にバッフル／障壁を混合してもよい。存在する任意の熱ブリッジギャップは、暖め／解凍プロセスの初めにオープンし、液相を区画間のフィンの周りに流させる。このような流れのパターンは加熱された表面付近の液相を乱し、熱伝達を明らかに増大させ、結果として解凍速度を増大させる。本発明のこのような内部構造体を有する容器の断面積を図１１Ａ−Ｌに示す。内部構造体は積極的に加熱してもよく（例えば熱交換液体又は電気抵抗ヒーターの使用を通して）、消極的に熱伝達であってもよく（熱伝達フィン等）、又は２つのタイプの構造体の組み合わせであってもよい。図１２Ａ−Ｐは、本発明の構造体を含む本発明の容器の円形断面の上面図を示す。図１３Ａ−Ｈは、積極的な加熱構造体及び消極的な熱伝達構造体の両方を含む本発明の構造体を含む本発明の容器の円形断面の上面図である。
【００２７】
容器の体積内に多くの稼動中の熱伝達表面が存在し、その熱伝達表面間に漂う種々のフィンを有する場合、その効果はさらに増大される。調節される構造体は容器の運動に垂直なバッフルであってもよい。バッフルは主運動とある角度で配置してもよく（浮遊する（水溶液において、凍結した物質はある密度差によって浮かんでもよい）固相により液相を動的に運動させるために収束／発散チャネルを生じる。固体及び液体が内部構造の収束チャネル内に移動する場合、ある点において、固体は収束する構造体間にトラップされる。次いで、その運動は停止し、固相に対する液相の相対運動は加速する。このような加速は、さらに固体表面の境界層を乱し、このため熱伝達を増大する。さらに、接触熱伝達は熱伝達構造体と解凍する固体との間で用いられる。運動の反転（振動運動の第二部分）は、液体により発散チャネルを通して移動する固体を放出するかもしれない。発散−収束チャネルを通す二相の組成物の運動は、固相と液相との間の追加の相対運動を生じ、乱流、混合、熱伝達の増大を生じ、結果として解凍速度の増加を生じる。
【００２８】
内部構造内の収束及び発散チャネルの適用は、二相の流体力学について他の利益を加える。収束チャネルにおいて、液体は、チャネルの端部で流出物が存在する場合、加速するが、発散チャネルにおいて、液相は減速するかもしれない。流出物がない場合、収束及び発散チャネルは、収束フローの際にチャネル端部で静止液体高さを増大でき、又は発散フローにおいて液面をより低くできる。液相における、このような表面レベルの差は、静止液圧の差を生じ、バッフルの周りのギャップを通して液相のフローを増大する（例えば任意の熱ブリッジ開放）。収束及び発散チャネルの組み合わせは、バッフルの両面で大きなレベルの差を生じるために液相の表面のピーク及び谷を生じ、液体の静的加熱のこの差によって起こる液体流れの増大を生じる。
【００２９】
また、容器の内部構造は、バッフルの開放を通して、又はバッフルの周りのギャップを通して液相を推進するための液相（懸濁した固相を有する）の動的圧力（液体の運動による）を利用するために配置してもよい。多くの構造体は液相と固相の運動のより良い制御のために“直列に”配置される。放射状フィン配置を有する熱交換器、例えば１９９７年７月１７日に出願された米国特許出願第０８／８９５，７８２号、第０８／８９５，７７７号、及び第０８／８９５，９３６号に開示されるものは、種々のこの概念であり、フィンは容器の容積を多くの区画に分割し、そのほとんどは振動運動の主方向を横切って干渉防止効果与える。
【００３０】
内部構造体は、例えば収束−発散ノズルのように、それらを形作る特異的な流れの増大／指示要素を有してもよい。これらの要素はすべての状況及び／又はすべての内部構造体について、例えば容器のみが移動し、内部構造体が容器に固定される場合、内部構造体のみが移動し、容器が静止している場合、及び容器と構造体の両方が互いに対して相対運動で移動する場合、作用する。
一般に、内部構造体は容器の容積を分離し、このため容器全体の端から端まで移動する大きな液体の波の形成を防止する。内部構造体、例えばバッフルの周りの任意のギャップは、液体がこのようなギャップを通して相対的に高い速度で移動するために有益である。ギャップは、特にギャップが熱ブリッジとして提供される場合には、稼動中（加熱中）の熱伝達表面の隣に配置してもよい。高い速度は流れを乱し、熱伝達速度を増大させ、結果として、解凍速度を増大する。
【００３１】
好ましい実施態様において、内部構造体は稼動中（加熱中）の熱伝達表面の付近の領域を通して、高い速度で液体流れ（振動運動によって生じた動力学による）を指示し、同様にバルクの液体を撹拌してもよい。液体流れは、浮遊する凍結した固体が位置する容積（区画）の中心部分に向かってさらに方向付けてもよい。このような方法において、液体流は稼動中の熱伝達表面の隣に通過し（そこで暖められ）、次いで融解する表面上へのバルク液体を方向付け、そのエンタルピーをこの融解表面に通し、融解の潜熱に変換される。区画への容器の容積の分割、及び大きな振幅の液相の波の減少ははね返し及び泡立ちを低減し、それ故、例えば気体−液体界面での生体産物の変性を低減することによって最終産物の収量を増大する。
【００３２】
また、本発明の振動運動は、容器又は容器内に含まれる内部構造体の揺れ（ｒｏｃｋｉｎｇ／ｓｗｉｎｇｉｎｇ）を発生させてもよい。例えば、内部構造体は容器の中央（中央）又は容器の上、又は容器の下に配置されるピボット上に配置してもよい。他の実施態様において、振動運動は、予めプログラムされた運転によって運転される動的に振動運動するテーブル上に容器を配置することによって引き起こし、複雑な運動パターン（調整できる）を提供してもよい。このようなテーブルは加速度計によって制御してもよく、複数の軸で運転してもよい。
【００３３】
図１４Ａ−Ｌは本発明の容器の非円形断面の上面図を示す。図１４Ａ−Ｄは内部構造体のない本発明の容器の非円形断面の上面図を示す。図１４Ｅ−Ｌは積極的に加熱した構造体及び消極的に熱伝導性構造体の両方を含む本発明の容器を示す。
種々の改良及び変更が循環器、システム及び本発明の方法において、本発明の意図及び範囲から離れることなしに行ってもよいことは、当業者に理解されるであろう。このことは、本発明の改良及び変更をカバーするが、特許請求の範囲及びそれらと均等の範囲内に入る場合に限られることを意味する。
【図面の簡単な説明】
【図１】本発明の容器の側面図を示す。
【図２Ａ−Ｂ】本発明の装置の断面図を示す。
【図３】本発明の装置の断面図を示す。
【図４】本発明の装置の断面図を示す。
【図５】本発明の装置の断面図を示す。
【図６Ａ】本発明の装置の断面図を示す。
【図６Ｂ−Ｄ】本発明の運動テーブルのパスを示す。
【図７】本発明の装置の正面図を示す。
【図８】本発明の装置の断面図を示す。
【図９Ａ−Ｄ】本発明の種々の装置を、装置が作動するトラックの実施態様と一緒に示す。
【図１０Ａ−Ｂ】本発明の装置の正面図を、装置の振動運動の表現と一緒に示す。
【図１１Ａ−Ｌ】本発明の種々の容器の断面図を示す。
【図１２Ａ−Ｐ】本発明の種々の容器の上方立面図を示す。
【図１３Ａ−Ｈ】本発明の種々の容器の上方立面図を示す。
【図１４Ａ−Ｌ】本発明の種々の容器の上方立面図を示す。
【国際公開パンフレット】
2004537327.tif 000003
2004537327.tif 000004
2004537327.tif 000005
2004537327.tif 000006
2004537327.tif 000007
2004537327.tif 000008
2004537327.tif 000009
2004537327.tif 000010
2004537327.tif 000011
2004537327.tif 000012
2004537327.tif 000013
2004537327.tif 000014
2004537327.tif 000015
2004537327.tif 000016
2004537327.tif 000017
2004537327.tif 000018
2004537327.tif 000019
2004537327.tif 000020
2004537327.tif 000021
2004537327.tif 000022
2004537327.tif 000023
2004537327.tif 000024
2004537327.tif 000025
2004537327.tif 000026
2004537327.tif 000027
2004537327.tif 000028
2004537327.tif 000029
2004537327.tif 000030
2004537327.tif 000031
2004537327.tif 000032
2004537327.tif 000033
2004537327.tif 000034
【国際公開パンフレット（コレクトバージョン）】
2004537327.tif 000035
2004537327.tif 000036
2004537327.tif 000037
2004537327.tif 000038
2004537327.tif 000039
2004537327.tif 000040
2004537327.tif 000041
2004537327.tif 000042
2004537327.tif 000043
2004537327.tif 000044
2004537327.tif 000045
2004537327.tif 000046
2004537327.tif 000047
2004537327.tif 000048
2004537327.tif 000049
2004537327.tif 000050
2004537327.tif 000051
2004537327.tif 000052
2004537327.tif 000053
2004537327.tif 000054
2004537327.tif 000055
2004537327.tif 000056
2004537327.tif 000057
2004537327.tif 000058
2004537327.tif 000059
2004537327.tif 000060
2004537327.tif 000061
2004537327.tif 000062
2004537327.tif 000063
2004537327.tif 000064
2004537327.tif 000065
2004537327.tif 000066
【国際調査報告】
2004537327.tif 000067
2004537327.tif 000068